【事件の表示】
　特願２００９−５０９８８９「官能性ポリマーを含むパーソナルケア組成物」拒絶査定不服審判事件〔平成１９年１１月２２日国際公開、ＷＯ２００７／１３３７２０、平成２１年１０月２２日国内公表、特表２００９−５３６９４９〕について、次のとおり審決する。
【結　論】
　本件審判の請求は、成り立たない。
【理　由】
第１　手続の経緯
　本件出願は、２００７年５月１１日（パリ条約による優先権主張外国庁受理　２００６年５月１１日、２００７年２月１２日、２００７年５月１１日、いずれも米国）を国際出願日とする出願であって、平成２０年１２月１８日に手続補正書が提出され、平成２３年７月２５日付けで拒絶理由が通知され、平成２４年２月２日に意見書及び手続補正書が提出されたところ、同年１１月３０日付けで拒絶査定がされ、平成２５年４月４日に拒絶査定不服審判の請求がされ、同日付けで手続補正書が提出され、平成２６年４月１８日付けの審尋に対して、同年１０月２１日に回答書が提出されたものである。
 　　　　　　　  
第２　平成２５年４月４日付け手続補正の補正却下の決定について
［補正却下の決定の結論］  
　平成２５年４月４日付け手続補正を却下する。
　　　　　　　 
［理由］
１．補正の内容
　平成２５年４月４日付け手続補正（以下、「本件補正」という。）は、補正前の特許請求の範囲の請求項１〜１９である、
「【請求項１】
（１）水、
（２）油及び皮膚軟化剤から成る群から選択される少なくとも1種、
（３）シリコーン基及びヒドロキシル基からなる群から選択される少なくとも１つの官能基を含む少なくとも１つの側鎖結晶性ポリマー、
（４）少なくとも１つの乳化剤、並びに
（５）クロルヒドロキシアルミニウム、アルミニウム・ジルコニウムテトラクロロヒドレックス、天然トコフェロール、合成トコフェロール、酢酸合成トコフェロール、レチノール、レチニルパルミテート／アセテート、アスコルビン酸、アスコルビルリン酸ナトリウム、アスコルビルグルコシド、アスコルビルリン酸マグネシウム、多糖類、ヒアルロン酸、Ｂ‐１，３‐グルカン、キトサン、植物成分、アロエ成分、緑茶抽出物、ブドウの種抽出物、イソフラボン、カモミール／ビサボロール、ウイキョウ成分、イチョウ葉成分、朝鮮人参成分、グアバ成分、αヒドロキシ酸、クエン酸、グリコール酸、乳酸、サトウキビ抽出物、補酵素及び酵素、ユビキノン、補酵素Ｑ１０、並びに薬用化粧品からなる群から選択される少なくとも１つの活性化合物、
を含むパーソナルケア組成物であって、該パーソナルケア組成物はエマルションを構成する、パーソナルケア組成物。
…
【請求項１９】
（１）水、
（２）油及び皮膚軟化剤から成る群から選択される少なくとも1種、
（３）カルボキシ基、シリコーン基及びヒドロキシル基からなる群から選択される少なくとも１つの官能基を含む少なくとも１つの側鎖結晶性ポリマー、
（４）少なくとも１つの乳化剤、並びに
（５）皮膚用美白剤、リンゴ酸ジアルキルエステル（ＡＰＤＯ）活性剤、多糖類、植物成分、αヒドロキシ酸、サトウキビ抽出物、補酵素及び酵素、並びに薬用化粧品からなる群から選択される少なくとも１つの活性化合物、
を含むパーソナルケア組成物であって、該パーソナルケア組成物はエマルションを構成する、パーソナルケア組成物。」
を新たな請求項１〜９である、
「【請求項１】
（１）水、
（２）油及び皮膚軟化剤から成る群から選択される少なくとも1種、
（３）ポリアクリル酸Ｃ１２‐２２アルキル／メタクリル酸架橋ポリマー、ポリアクリル酸Ｃ１２‐２２アルキル／アクリル酸ヒドロキシエチルコポリマー、ポリアクリル酸Ｃ８‐２２アルキル／メタクリル酸ブチルジメチコーンコポリマー、及びポリアクリル酸／アクリル酸Ｃ８‐Ｃ２２アルキルコポリマーから成る群から選択される少なくとも１つの側鎖結晶性ポリマー、
（４）少なくとも１つの乳化剤、並びに
（５）クロルヒドロキシアルミニウム、アルミニウム・ジルコニウムテトラクロロヒドレックス、天然トコフェロール、合成トコフェロール、酢酸合成トコフェロール、レチノール、レチニルパルミテート／アセテート、アスコルビン酸、アスコルビルリン酸ナトリウム、アスコルビルグルコシド、アスコルビルリン酸マグネシウム、多糖類、ヒアルロン酸、Ｂ‐１，３‐グルカン、キトサン、植物成分、アロエ成分、緑茶抽出物、ブドウの種抽出物、イソフラボン、カモミール／ビサボロール、ウイキョウ成分、イチョウ葉成分、朝鮮人参成分、グアバ成分、αヒドロキシ酸、クエン酸、グリコール酸、乳酸、サトウキビ抽出物、補酵素及び酵素、ユビキノン、補酵素Ｑ１０、並びに薬用化粧品からなる群から選択される少なくとも１つの活性化合物、
を含むパーソナルケア組成物であって、該パーソナルケア組成物はエマルションを構成する、パーソナルケア組成物。
…
【請求項９】
（１）水、
（２）油及び皮膚軟化剤から成る群から選択される少なくとも1種、
（３）ポリアクリル酸Ｃ１２‐２２アルキル／メタクリル酸架橋ポリマー、ポリアクリル酸Ｃ１２‐２２アルキル／アクリル酸ヒドロキシエチルコポリマー、ポリアクリル酸Ｃ８‐２２アルキル／メタクリル酸ブチルジメチコーンコポリマー、及びポリアクリル酸／アクリル酸Ｃ８‐Ｃ２２アルキルコポリマーから成る群から選択される少なくとも１つの側鎖結晶性ポリマー、
（４）少なくとも１つの乳化剤、並びに
（５）皮膚用美白剤、リンゴ酸ジアルキルエステル（ＡＰＤＯ）活性剤、多糖類、植物成分、αヒドロキシ酸、サトウキビ抽出物、補酵素及び酵素、並びに薬用化粧品からなる群から選択される少なくとも１つの活性化合物、
を含むパーソナルケア組成物であって、該パーソナルケア組成物はエマルションを構成する、パーソナルケア組成物。」
と補正するものである。
　　　　　　　　
　そして、本件補正のうち、特許請求の範囲の請求項１についての補正は、
　　　　　　　
・「（３）シリコーン基及びヒドロキシル基からなる群から選択される少なくとも１つの官能基を含む少なくとも１つの側鎖結晶性ポリマー」を、
「（３）ポリアクリル酸Ｃ１２‐２２アルキル／メタクリル酸架橋ポリマー、ポリアクリル酸Ｃ１２‐２２アルキル／アクリル酸ヒドロキシエチルコポリマー、ポリアクリル酸Ｃ８‐２２アルキル／メタクリル酸ブチルジメチコーンコポリマー、及びポリアクリル酸／アクリル酸Ｃ８‐Ｃ２２アルキルコポリマーから成る群から選択される少なくとも１つの側鎖結晶性ポリマー」とする補正事項、
を含むものである。
 　　　　　　　　　 
２．検討
　請求項１の補正が適法になされたものであるか否かについて検討する（なお、請求項１の補正に係る補正事項は、明細書の発明の詳細な説明の段落【００１２】の記載事項等に基づくものであるから、本件出願の当初の明細書の発明の詳細な説明に記載された事項の範囲内でしたものであって新たな技術的事項を導入しないものといえる。）。
　そこで、まず、請求項１の補正が特許法第１７条の２第５項各号に掲げるいずれかの事項を目的とするものであるか否かを検討すると、当該補正に係る上記補正事項は、「側鎖結晶性ポリマー」に関し、補正前は「シリコーン基及びヒドロキシル基からなる群から選択される少なくとも１つの官能基を含む少なくとも１つの」ものであったところを、補正後においてシリコーン基ないしヒドロキシル基を含む「ポリアクリル酸Ｃ８‐２２アルキル／メタクリル酸ブチルジメチコーンコポリマー」、「ポリアクリル酸Ｃ１２‐２２アルキル／アクリル酸ヒドロキシエチルコポリマー」以外の、シリコーン基ないしヒドロキシル基を含まないポリマーである「ポリアクリル酸Ｃ１２‐２２アルキル／メタクリル酸架橋ポリマー」、「ポリアクリル酸／アクリル酸Ｃ８‐Ｃ２２アルキルコポリマー」を含むものとする補正事項であって、「側鎖結晶性ポリマー」にあたるポリマーの範囲を拡張する補正事項といえるから、特許法第１７条の２第５項第２号の特許請求の範囲の減縮を目的とするものに該当しない。
　また、上記補正事項が、同項第１、３、４号に規定する請求項の削除、誤記の訂正、明りょうでない記載の釈明に該当しないことは明らかである。
　よって、上記補正事項は、特許法第１７条の２第５項各号に掲げるいずれの事項を目的とするものともいえないから、本件補正は、特許法第１７条の２第５項の規定に適合しないものである。
　　　　　　　　
３．補正却下の決定のむすび
　以上のとおり、本件補正は、特許法第１７条の２第５項の規定に適合しないものである。
　また、仮に、本件補正が同法同条同項第２号の特許請求の範囲の減縮を目的とするものであったとしても、本件補正に係る側鎖結晶性ポリマーの「ポリアクリル酸Ｃ１２‐２２アルキル／メタクリル酸架橋ポリマー、ポリアクリル酸Ｃ１２‐２２アルキル／アクリル酸ヒドロキシエチルコポリマー、ポリアクリル酸Ｃ８‐２２アルキル／メタクリル酸ブチルジメチコーンコポリマー、及びポリアクリル酸／アクリル酸Ｃ８‐Ｃ２２アルキルコポリマーから成る群から選択される少なくとも１つ」との選択肢のうち、「ポリアクリル酸Ｃ１２‐２２アルキル／アクリル酸ヒドロキシエチルコポリマー」を選択した発明については、後記「第５　３．」、「第５　４．」に記載するとおり、平成２４年１１月３０日付け拒絶査定で引用された引用文献１、３に記載された発明、ないし、引用文献５に記載された発明に基いて、その出願前にその発明の属する技術の分野における通常の知識を有する者が容易に発明をすることができたものと認められるから、同法第２９条第２項の規定により特許出願の際独立して特許を受けることができないものであって、本件補正は、同法第１７条の２第６項において準用する同法第１２６条第７項の規定に適合しないものである。
　よって、本件補正は、同法第１５９条第１項において読み替えて準用する同法第５３条第１項の規定により却下すべきものであるから、［補正却下の決定の結論］のとおり決定する。  
　　　　　　　　
第３　本件出願に係る発明 
　本件出願に係る発明は、平成２４年２月２日付け手続補正書の特許請求の範囲の請求項１〜１９に記載された事項により特定されるとおりのものであり、そのうち請求項１に係る発明（以下、「本願発明」という。）は、次のとおりである。  
「（１）水、
（２）油及び皮膚軟化剤から成る群から選択される少なくとも1種、
（３）シリコーン基及びヒドロキシル基からなる群から選択される少なくとも１つの官能基を含む少なくとも１つの側鎖結晶性ポリマー、
（４）少なくとも１つの乳化剤、並びに
（５）クロルヒドロキシアルミニウム、アルミニウム・ジルコニウムテトラクロロヒドレックス、天然トコフェロール、合成トコフェロール、酢酸合成トコフェロール、レチノール、レチニルパルミテート／アセテート、アスコルビン酸、アスコルビルリン酸ナトリウム、アスコルビルグルコシド、アスコルビルリン酸マグネシウム、多糖類、ヒアルロン酸、Ｂ‐１，３‐グルカン、キトサン、植物成分、アロエ成分、緑茶抽出物、ブドウの種抽出物、イソフラボン、カモミール／ビサボロール、ウイキョウ成分、イチョウ葉成分、朝鮮人参成分、グアバ成分、αヒドロキシ酸、クエン酸、グリコール酸、乳酸、サトウキビ抽出物、補酵素及び酵素、ユビキノン、補酵素Ｑ１０、並びに薬用化粧品からなる群から選択される少なくとも１つの活性化合物、
を含むパーソナルケア組成物であって、該パーソナルケア組成物はエマルションを構成する、パーソナルケア組成物。」
 　　　　　　　 
第４　原査定の理由 
　原査定は、「この出願については、平成２３年７月２５日付け拒絶理由通知書に記載した理由２及び３によって、拒絶をすべきものです。」とするものであり、平成２３年７月２５日付け拒絶理由通知書によると、理由２は、次のとおりである。 
 　　　　　 
「… 
２．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
…
　　　　　記　　　（引用文献等については引用文献等一覧参照）
（Ａ−１）理由１及び２
・請求項１、７
・引用文献１−４
…
（Ａ−２）理由２
・請求項２−６、８−２２
・引用文献１−４
…
（Ｂ）理由２
・請求項１−２２
・引用文献５
…
　　　　　引　用　文　献　等　一　覧
１．特開２００３−２３８３４８号公報
…
３．特開２００３−２１２７４４号公報
…
５．特表２００３−５０９５３９号公報」
　　　　　　　　　　
第５　当審の判断  
　当審は、原査定の理由のとおり、本願発明は、引用文献１、３に記載された発明、ないし、引用文献５に記載された発明に基いて、その出願前にその発明の属する技術の分野における通常の知識を有する者が容易に発明をすることができたものであり、特許法第２９条第２項の規定により特許を受けることができないものと判断する。
　　　　
１．引用文献に記載された事項
　引用文献１、３、５には、次のとおりの事項が記載されている（引用文献１、５、３の順に摘示する。）。
　　　　
［引用文献１（特開２００３−２３８３４８号公報）］
１ａ「【特許請求の範囲】
【請求項１】油性相中に分散された水性相を含む局所適用のための組成物において、
該組成物は、少なくとも一の有機粉末と、１乃至８の範囲のＨＬＢ値を有する少なくとも一の乳化剤とを含み、
前記油性相は、室温で固体であり融点が７０℃未満の少なくとも一の半結晶性ポリマーを含み、
該ポリマーは、ａ）ポリマー骨格及びｂ）少なくとも一の結晶化可能な有機側鎖及び／又はポリマー骨格の一部を形成する結晶化可能な有機配列を含み、
前記ポリマーの数平均分子量が２０００を超えることを特徴とする、組成物。
…
【請求項１３】　皮膚、唇及び／又は毛髪をトリートメント、保護、ケア、又はそこからメイクアップを除去、及び／又はクレンジングするための、及び／または皮膚及び／又は唇をメイクアップするために用いられることを特徴とする、請求項１乃至１２のいずれか一項に記載の組成物。」
　　　
１ｂ「【０００１】
【発明の属する技術分野】本発明は、油中水型（Ｗ／Ｏ）エマルションの形態の組成物であって、油性相中に、乳化剤、有機粉末及び特定のポリマーを含む組成物に関し、さらに、その使用、特に化粧品又は皮膚科における使用に関する。
【０００２】
【従来の技術】…Ｗ／Ｏエマルションは、油性連続相を含み、こうして、皮膚の表面に、表皮細胞を通過して水分が損失するのを防止し、外部の攻撃に対して皮膚を保護する脂質の膜を形成することを可能にする。これらのエマルションは、特に、皮膚を保護し、滋養するために、特に乾燥肌をトリートメントするために適している。」
　　　
１ｃ「【００１１】半結晶性ポリマー類の存在は、皮膚への広がりに優れた…テキスチャーを有するクリームを得ることを可能にする。特に、これらの半結晶性ポリマーの特定のレオロジーの特性が、皮膚へ適用する間に、剪断作用によって、流体化を可能にする。…温度がポリマーの融点未満のとき、ポリマー鎖は、固くて、それを含む組成物のテキスチャーは、よりコンパクトで、バルサムのそれに似ている。温度が上昇するとき、ポリマー鎖は緩んで、組成物のテキスチャーはより柔軟になる。よって、テキスチャーは、適用の温度に依存し、このため、ジャーでコンパクトに見えるクリームが、実際には、皮膚に適用すると非常に軟らかいことを示すことができる。
【００１２】さらに、半結晶性ポリマーと有機粉末との組み合わせのために、本発明の組成物は、快適なテクスチャー、シルクの感触を有し、最終的には、しゅすのようであるが光沢（グロス）ではない効果を有するという利点がある。」
　　　　
１ｄ「【００１９】本発明の組成物において、半結晶性ポリマーは、…結晶化可能な鎖または配列以外は、ポリマー配列は、非結晶性である。」
　　　　　　
１ｅ「【００３１】例示することができる結晶化可能な一以上の鎖を含む半結晶性ポリマー類又はコポリマー類の例としては、飽和Ｃ１４−Ｃ２４アルキル（メタ）アクリラート類（「Ｃ１４−Ｃ２４」とは１４乃至２４の炭素原子を含むアルキル基を意味する）；…；Ｃ１４乃至Ｃ２４α−オレフィン類（１４乃至２４の炭素原子を有するアルキル基）、例えばオクタデセン；Ｃ１４乃至Ｃ２４のパラ−アルキルスチレン類（１４乃至２４の炭素原子を有するアルキル基）、及びそれらの混合物から選ばれる、結晶化可能な鎖を含む少なくとも一のモノマーの重合から得られるものが含まれる。
…
【００３４】本発明の組成物に用いられるポリマーがコポリマーのとき、それは共重合の結果０乃至５０％のＹ基又はＺ基を含む：
α）極性又は非極性のモノマー又はその２つの混合物であるＹでは：−Ｙが極性モノマーのとき、それは…、ヒドロキシアルキル（メタ）アクリラート、例えばヒドロキシエチルアクリラート、…、又は少なくとも一のカルボン酸基、例えば（メタ）アクリル酸、…、又は無水カルボン酸基、例えば無水マレイン酸を有するモノマー、及びそれらの混合物のいずれかである。
…
β）極性モノマー又は極性モノマー類の混合物であるＺでは、Ｚは上記「極性Ｙ」と同じ定義を有する。
【００３５】好ましくは、結晶化可能な側鎖を含む半結晶性ポリマー類は、…、例えば、…、ヒドロキシエチル（メタ）アクリラート又はアクリル
酸とのコポリマー類；又はそれらの混合物でもよい。」
　　　
１ｆ「【００５７】油性相
組成物はＷ／Ｏエマルションの形態であるので、半結晶性ポリマーでゲル化された油性相は、エマルションの連続相を構成する。…
【００５８】
この油性相は、少なくとも一の油、特に化粧油を含み、それはいくつかの油類と任意に一以上のほかの脂肪物質を含むことができる。」
　　　
１ｇ「【００６６】乳化剤
本発明の組成物の乳化剤は、ＨＬＢ（親水性−親油性バランス）値が１乃至８の範囲のものである。
【００６７】乳化剤は、例えば、シリコーン乳化剤、アルキルポリグリコシド類（ＡＰＧ）、脂肪酸及びポリオールから得られる非イオン性乳化剤、コハク酸末端基を含むポリオレフィン、及びそれらの混合物から選ばれる。」
　　
１ｈ「【００７６】水性相
本発明の組成物の水性相は、組成物の全重量に対して、一般的に５乃至９０重量％、好ましくは２０乃至６０重量％を占める。水の他に、溶媒、…又は糖、…を含むことができる。」
　　
１ｉ「【００８１】添加剤
本発明の組成物は、増粘剤、ゲル化剤、染料、抗酸化剤、精油、防腐剤、香料、分散剤、中和剤、親油性又は親水性活性剤、電解質、例えば、硫酸マグネシウム又は塩化ナトリウム、及びそれらの混合物から選ばれる、意図された分野で通常使用されるあらゆる添加剤も含むことができる。…
【００８２】活性剤の例としては、保湿剤、例えば蛋白質加水分解物及びポリオール類、例えばグリセリン、グリコール類、例えばポリエチレングリコール類、及び糖誘導体類；天然抽出物；プロシアニドールポリゴマ−類；ビタミン類、例えばビタミンＥ（トコフェロール）及びその誘導体類（例えばアセタート）、ビタミンＡ（レチノール）及びその誘導体（例えばレチニルパルミタート）、ビタミンＣ（アスコルビン酸）及びその誘導体（例えばアスコルビルパルミタート）、これらのビタミン類の誘導体、特にエステル類であり、パルミタート及びアセタートを含む；必須脂肪酸；スフィンゴ脂質及びセラミド類；セルフタンニング化合物、例えばＤＨＡ（ジヒドロキシアセトン）；サンスクリーン剤、例えばオクチルメトキシシンナマート（Parsol MCX）、３−ヘンゾフェノン（Uvinul M40）、ブチルメトキシジベンゾイルメタン（Parsol 1789）；尿素；脱色素剤、例えばコウジ酸及びカフェー酸；β−ヒドロキシ酸、例えばサリチル酸及びその誘導体；α−ヒドロキシ酸、例えば乳酸、クエン酸及びグリコール酸；レチノイド類、例えばレチノール及びそのエステル類、レチナール及びカロテノイド類；及びそれらの混合物を挙げることができる。」
　　　
１ｊ「【００９５】
【実施例】Ｉ）半結晶性ポリマーの製造の例
実施例１：融点が４０℃のアクリル酸ポリマー
１２０ｇのパールリーム（登録商標）油（鉱物油）を、パドル付中央攪拌機、濃縮器、及び温度計を備えた、１リットルのリアクターに入れ、油を室温から８０℃に４５分かけて加熱した。８０℃で、下記混合物Ｃ１を２時間かけて導入した：４０ｇのシクロヘキサン＋４ｇのTriganox 141［２，５−ビス（２−エチルヘキサノイルペルオキシ）−２，５−ジメチルへキサン］。
【００９６】混合物Ｃ１の添加の開始から３０分後に、１９０ｇのステアリルアクリラート＋１０ｇのアクリル酸＋４００ｇのシクロヘキサンからなる混合物Ｃ２を１時間３０分かけて、導入した。
【００９７】両者を添加した後に、得られた混合物を、８０℃でさらに３時間攪拌し、反応媒体に存在するシクロヘキサンの全てを大気圧下で蒸留した。
【００９８】パールリーム（登録商標）油中に６０重量％の活性剤を含むポリマーをこうして得た。
【００９９】その重量平均分子量Ｍｗは、３５０００（ポリスチレン当量として）であり、ＤＳＣで測定したその融点Ｔｍは４０℃±１℃であった。
…
【０１０４】
II）組成物の実施例
…
【０１０７】
実施例６：ケアクリーム
油性相
実施例１の、パールリーム（登録商標）中６０％（活性剤）の
ステアリルアクリラート／アクリル酸コポリマー　　　　　　　　　　２％
イソヘキサデカン　　　　　　　　　　　　　　　　　　　　　　　１５％
シリコーン油　　　　　　　　　　　　　　　　　　　　　　　　　　８％
セチルジメチコーンコポリオール(Goldschmidt社からのAbil EM90)１．５％
ポリグリセリルイソステアラート（Isolan GI 34）　　　　　　　０．５％
マイカ−酸化チタン（Engelhard社からのFlamenco Red 420 C）　　　 １％
水性相
グリセリン　　　　　　３％
硫酸マグネシウム　０．７％
防腐剤　　　　　　　　適量
脱イオン水　１００％とする量
有機粉末
塩化ビニリデン／アクリロニトリル／メタクリラートミクロスフェア
（Expancel 551 DE）　　　　　　　　　　　　　　　　　　　　０．５％
【０１０８】手順：各相を熱くなるまで（＞７０℃）加熱し、ついで水性相を油性相中に攪拌しながら分散した。混合物を４０℃に冷却し、有機粉末を添加した。
【０１０９】美しい真珠色の、ソフトで、滑るように適用されるケアクリームを得た。このクリームは容易に皮膚に広がり、さわやかな感触を有するものであり、皮膚を柔らかく、繻子のようにした。」
　　
［引用文献５（特表２００３−５０９５３９号公報）］
２ａ「【特許請求の範囲】
【請求項１】　温度Ｔｓにあり、
(１)油と、
(２)結晶化固体として油中に均一に分散し、ＴＳよりも高い結晶融点Ｔｐを有する側鎖結晶性(ＳＣＣ)ポリマーと、
を含有する増粘された油性組成物であって、カルボキシル基、塩の形態のカルボキシル基、スルホン酸基、及び塩の形態のスルホン酸基を含むポリマーを実質的に含有しない組成物。
…
【請求項４】　ＳＣＣポリマーが、酸素含有、窒素含有、フッ素含有又はケイ素含有基を有する繰り返し単位を含む請求項１に記載の組成物。
【請求項５】　ＳＣＣポリマーが、ヒドロキシル基を有する繰り返し単位を１０−３０％含有する請求項４に記載の組成物。」
　　　
２ｂ「【０００１】
この発明は、油含有組成物用の高分子増粘剤に関する。
…　　　　　　　　
【０００４】
…本組成物は水分を含有しないか、又は油中水型エマルションとすることができる。
　増粘剤としてこれらのＳＣＣポリマーを使用することから得られる利点の一つは、油中水型エマルションにおいて界面活性剤を使用する必要性が低減されるか、又はなくなることである。このことは、パーソナルケア製品はヒトの皮膚と接触した場合に悪影響を起こすおそれのある界面活性剤を含むのが一般的であるために、かかるパーソナルケア製品において特に有用である。」
　　　
２ｃ「【０００９】
　ＳＣＣポリマーは、例えば一又は複数のアクリル、メタクリル、オレフィン、エポキシ、ビニル、エステル-含有、アミド-含有又はエーテル-含有モノマーから誘導され得る。好ましいＳＣＣポリマーは、…一又は複数の対応する直鎖状脂肪族アクリレート又はメタクリレート；…のような等価なモノマーを含むモノマー成分を重合することにより調製することができる。多くのこのようなモノマーは…商業的に入手可能であり、例えばＣ１２Ａ、Ｃ１４Ａ、Ｃ１６Ａ、Ｃ１８Ａ、Ｃ２２Ａ、Ｃ１８ＡとＣ２０ＡとＣ２２Ａとの混合物…である。ポリマーは、また、一又は複数の他のコモノマー、例えばアルキル基が１２未満の炭素原子を有する直鎖状又は分枝状鎖であるアクリル酸アルキル又はメタクリル酸アルキル、及び所望の官能基を有するモノマー、例えば以下に列挙するモノマー；…から誘導される単位を含有する。以下の列挙において、(メタ)アクリレートなる用語は、その化合物がアクリレートかメタクリレートのいずれかであることを意味する。
【００１０】
…
(ｂ)酸素含有モノマー(カルボキシル-及びスルホン酸-含有モノマー及びその塩類以外のもの)、例えばヒドロキシアルキル(特に、ヒドロキシエチル、ヒドロキシプロピル、及びヒドロキシブチル)(メタ)アクリレート；…；アルコキシアルキル(メタ)アクリレート、例えばメトキシエチル(メタ)アクリレート；１-アクリロキシ-２-ヒドロキシ-３-フェノキシプロパン；メチロールメタクリレート；エトキシエチル(メタ)アクリレート；２-(２-エトキシエトキシ)エチルアクリレート；アセトアセトキシエチル(メタ)アクリレート；フェノキシエチル(メタ)アクリレート…
…
(ｄ)シリル等のケイ素含有モノマー、例えばトリメチルシロキシ-エチル(メタ)アクリレート、３-アクリロキシプロピル-トリメトキシシラン、及び３-アクリロキシプロピル-トリス(トリメチルシロキシ)シラン。」
　　　
２ｄ「【００１５】
油中水型エマルション
　油中水型エマルションは、好ましくは、(１)油に増粘剤が入った温溶液と(２)油溶液と同様の温度(例えば差違が１０℃以下のもの)の水相とを互いに混合し；ついで撹拌しつつ混合物を冷却することにより調製される。…」
　　　　　　　
２ｅ「【００１６】
組成物
　本発明は、特にパーソナルケア組成物、例えば化粧品、トイレタリー及び洗剤で、限定するものではないが、口紅、脱臭用スティック、ネイルラッカー、クリームを含むもの、ゲル及びオイルで、サンクリーム、保護用ハンドクリーム、夜間用再生(renewal)クリーム、ボディミルク及びローション、顔用ライトクリーム、日中の保護用クリーム、液状保湿エマルション、水中油型クリーム及び油中水型クリームを含むもの、並びに水分を含有するか含有しない増粘したオイル製品、及び他の化粧品、メークアップ又はパーソナルケア製品の除去を補助することを意図した製品を含むものに有用である。本発明は他の状況、例えば塗料、皮膜形成組成物、インク、及びＵＶ吸収剤、香料、殺虫剤、抗菌剤、殺菌剤、酸化防止剤、防腐剤、消毒剤、酵素、滋養剤、ミネラル、及び薬物(局所的又は全身的に、生理学的又は製薬的に活性な医薬を含む)等の活性成分を含む組成物においてもまた有用である。」
　　
２ｆ「【００１７】
　本発明を以下の実施例により例証する。
実施例
　次の一般化された方法を使用し、以下の表に示す成分とその量を用いてポリマー及びコポリマーを作製した。オーバーヘッド攪拌器と凝縮器を具備する樹脂ケトルに２０％のモノマーと連鎖移動剤を添加した。樹脂ケトル中の混合物を１１０℃まで加熱し、約３０分間の窒素パージによって系から酸素を除去した後、２０％の出発開始剤負荷を添加した。当初の全ての発熱を減ずるのに十分な時間の後、残存するモノマー、連鎖移動剤及び出発開始剤を６０−９０分以上かけて反応容器中に汲み出した。ポリマー混合物を６０分間反応させ続けた後、連鎖開始剤を添加し、６０分間反応させた。混合物を６０分間減圧下に置き、揮発性残査を除去した。得られたポリマーは一般に黄色から白色の固体であった。
　分子量、Ｔｐ及び各サンプルの粘性率を測定した。増粘剤としてのポリマーの効果を上述したようにして測定し、結果を以下の表１及び２に示す。
　次の略号を表中で使用する。ＭＥ＝メルカプトエタノール；ＭＡ＝メタクリル酸；ＮＶＰ＝Ｎ-ビニルピロリジノン；ＤＭＡＥＡ＝Ｎ,Ｎ-ジメチルアミノエチルアクリレート；ＨＥＡ＝２-ヒドロキシエチルアクリレート；ＴＡＰＯ＝Witco社からEsperox 570P、液中７５％活性、として販売されているｔ-アミルペルオキシ-２-エチルヘキサノアート；ＴＢＰＢ＝Witco社からEsperox 10として販売されているｔ-ブチルペルオキシべンゾアート；EstolはUniqema社からEstol 1526の商品名で販売されているプロピレングリコールジカプリラート／カプラート；Ｍｉｎ'ｌは鉱物性油；及びｏｐｑ＝外観が不透明。
【００１８】
* 実施例２、３及び４は、増粘剤がメタクリル酸から誘導された単位を含む比較例である。実施例２では、ポリマーは４０−５０℃の好ましい範囲を越えるＴｐを有し、過度な結晶化度と劣った増粘性がもたらされた。実施例４では、ポリマーは好ましい範囲より低いＴｐを有し、冷却時に結晶化しなかったために増粘剤としては効果がなかった。実施例３では、ポリマーのＴｐは好ましい範囲にあったが、ポリマーが実施例１及び５−８で使用された本発明のポリマーほど効果はなかった。
** 分離した
」
　　　
［引用文献３（特開２００３−２１２７４４号公報）］
３ａ「【特許請求の範囲】
【請求項１】環境温度で固体であり、７０℃未満の融点を有する、
a)ポリマーバックボーン、及び
b)少なくとも一つの結晶化可能な有機側鎖、及び／または前記ポリマーのバックボーンの一部を形成する少なくとも一つの結晶化可能な有機ブロックを含み、２０００以上の数平均分子量を有する半結晶性ポリマーの、少なくとも一つの液体脂肪相、及び少なくとも一つの有機ＵＶスクリーニング剤を含む、ＵＶ光に対する皮膚、唇、及び／または毛髪の保護を企図する化粧品組成物における、前記組成物の光保護力を改良するための美容上の使用。
…
【請求項３】前記ポリマーが、飽和Ｃ１４−Ｃ２４アルキル（メタ）アクリラート、Ｃ１１−Ｃ１５パーフルオロアルキル（メタ）アクリラート、フッ素原子を有するまたは有さないＣ１４からＣ２４のＮ−アルキル（メタ）アクリルアミド、Ｃ１４からＣ２４のアルキルまたはパーフルオロアルキル鎖を有するビニルエステル、Ｃ１４からＣ２４のアルキルまたはパーフルオロアルキル鎖を有するビニルエーテル、Ｃ１４からＣ２４のα−オレフィン、１２から２４の炭素原子を含むアルキル基を有するパラ−アルキルスチレン、並びにこれらの混合物から選択される結晶化可能な鎖を有する少なくとも一つのモノマーの重合から生成するホモポリマー及びコポリマーから選択されることを特徴とする、請求項１または２記載の使用。
…
【請求項８】前記組成物が、油性溶液、エマルション、油性ゲル、液体、ペースト状、若しくは固体無水製品、または小球を使用した水相中における脂肪相の分散物の形態で提供されることを特徴とする、請求項１から７のいずれか一項記載の使用。」
　　　
３ｂ「【０００９】
【課題を解決するための手段】驚くべきことに本出願人は、スクリーニング剤を半結晶性ポリマーと組み合わせることによって、良好な耐水性が得られるだけでなく、スクリーニング剤のスクリーニング力の改善も得られ、このため、製薬投与量形態に関わらず：無水ゲル並びにＯ／Ｗ及びＷ／Ｏエマルションの両者で、それらを含む組成物の保護ファクター（ＳＰＦ）の顕著な改善が得られることを見出した。
【００１０】このポリマーの使用は、エマルションの場合、微弱な耐水性の問題を解決可能である。」
　　
３ｃ「【００１６】半結晶性ポリマーは、保護ファクターを改善するだけでなく、組成物に対してより優れた伸びの感覚を与える利点を有し、…防水効果とを得ることを可能にする。」
　　
３ｄ「【００３２】ａ）一般的に、本発明に係る半結晶性ポリマーの結晶化可能な単位（鎖またはブロック）は、半結晶性ポリマーの製造のために使用される結晶化可能なブロック（類）または鎖（類）を有するモノマーから生成する。これらのポリマーは、下式Ｘによって表すことができる結晶化可能な鎖（類）を有する少なくとも一つのモノマーの重合から生成するホモポリマー及びコポリマーから特に選択される：　　　　　　　　　　　　　　
【化１】
[式中、Ｍはポリマーバックボーンの原子を表し、Ｓはスペーサーを表し、Ｃは結晶化可能な基を表す]。
…
【００３８】本発明の組成物で使用されるポリマーがコポリマーである場合、それらはさらに、共重合から生成する０から５０％のＹまたはＺ基を含む：
α）Ｙに関して、それは、極性または非極性モノマーまたは二つの混合物である：
−Ｙが極性モノマーである場合、それは、…、ヒドロキシアルキル（メタ）アクリラート、例えばヒドロキシエチルアクリラート、（メタ）アクリルアミド、…、あるいは（メタ）アクリル酸、…のような少なくとも一つのカルボン酸基を有するモノマー、あるいは無水マレイン酸のような無水カルボン酸を有するモノマー、並びにこれらの混合物のいずれかである。
…
β）Ｚに関して、それは、極性モノマー、または極性モノマーの混合物であり、Ｚは前述の「極性Ｙ」と同じ定義を有する。」
　　　　　　　
３ｅ「【００８４】本発明に従って使用される組成物は、局所塗布のために従来使用されているいずれの製薬投与量形態、特に油性溶液、水中油型（Ｏ／Ｗ）または油中水型（Ｗ／Ｏ）または複相エマルション、油性ゲル、液体、ペースト状若しくは固体無水製品の形態、または小球を使用する水相中への脂肪相の分散物の形態であって、これらの小球はポリマー状ナノ粒子、例えばナノスフェア及びナノカプセル、またはイオン性及び／または非イオン性タイプの脂質ベシクルである形態で提供できる。これらの組成物は、常法に従って調製される。
【００８５】さらに、本発明に従って使用される組成物は、多かれ少なかれ流体であることができ、白色若しくは着色されたクリーム、軟膏、乳液、ローション、漿液、ペースト、またはフォームの外観を有することができる。
…
【００８７】エマルションは一般的に、単独でまたは混合物として使用される両性、アニオン性、カチオン性、または非イオン性界面活性剤から選択される少なくとも一つの乳化剤を含む。乳化剤は、得られるエマルション（Ｗ／ＯまたはＯ／Ｗ）に従って適切に選択される。」
　　　　　　　　　　　
２．引用文献に記載された発明
　前記１．に記載した引用文献のうち、引用文献１、５には、それぞれ、次の発明が記載されていると認められる。
　　　　　　　
［引用文献１（特開２００３−２３８３４８号公報）］
　引用文献１には、「油性相中に分散された水性相を含む局所適用のための組成物において、該組成物は、少なくとも一の有機粉末と、１乃至８の範囲のＨＬＢ値を有する少なくとも一の乳化剤とを含み、前記油性相は、室温で固体であり融点が７０℃未満の少なくとも一の半結晶性ポリマーを含み、該ポリマーは、ａ）ポリマー骨格及びｂ）少なくとも一の結晶化可能な有機側鎖及び／又はポリマー骨格の一部を形成する結晶化可能な有機配列を含む組成物」、当該組成物が「皮膚、唇及び／又は毛髪をトリートメント、保護、ケア」等の目的で用いられることが記載されている（摘示１ａ）。
　　
　また、引用文献１には、当該組成物が、少なくとも一の油を含有する油性相（摘示１ｆ）と、水を含有する水性相（摘示１ｈ）とを含み、乳化剤によって（摘示１ｇ）エマルションの形態にしたものであること（摘示１ｂ、１ｆ）が記載されている。
　　　
　そして、引用文献１には、そのような組成物に係る実施例（摘示１ｊ）が記載されている。
　　　　　　　　
　以上の事項を摘示１ａの事項を中心にして総合すると、引用文献１には、次の発明（以下、「引用発明１」という。）が開示されているといえる。
　　　
「少なくとも一の油を含有する油性相中に分散された水を含有する水性相を含む、エマルションの形態であり、
皮膚、唇及び／又は毛髪をトリートメント、保護、ケアする目的での、局所適用のための組成物において、
該組成物は、少なくとも一の有機粉末と、
１乃至８の範囲のＨＬＢ値を有する少なくとも一の乳化剤とを含み、
前記油性相は、室温で固体であり融点が７０℃未満の少なくとも一の半結晶性ポリマーを含み、該ポリマーは、ａ）ポリマー骨格及びｂ）少なくとも一の結晶化可能な有機側鎖及び／又はポリマー骨格の一部を形成する結晶化可能な有機配列を含む、
組成物。」
　　　　　　　
［引用文献５（特表２００３−５０９５３９号公報）］
　引用文献５には、「温度Ｔｓにあり、(１)油と、(２)結晶化固体として油中に均一に分散し、ＴＳよりも高い結晶融点Ｔｐを有する側鎖結晶性(ＳＣＣ)ポリマーと、を含有する増粘された油性組成物であって、カルボキシル基、塩の形態のカルボキシル基、スルホン酸基、及び塩の形態のスルホン酸基を含むポリマーを実質的に含有しない組成物。」、及び「ヒドロキシル基を有する繰り返し単位を１０−３０％含有する」当該ＳＣＣポリマーが記載されている（摘示２ａ）。
　　　　　
　また、引用文献５には、当該組成物がＳＣＣポリマーを増粘剤として含有すること（摘示２ｂ）、当該組成物を水相と混合して油中水型エマルションとすることができること（摘示２ｄ、２ｂ）、当該組成物がパーソナルケア製品において有用であること（摘示２ｂ、２ｅ）が記載されている。
　　　　　　　　　　
　そして、引用文献５には、そのような組成物に係る実施例（摘示２ｆ）が記載されている
　　　　
　以上の事項を摘示２ａの事項を中心にして総合すると、引用文献５には、次の発明（以下、「引用発明２」という。）が開示されているといえる。
　　　
「温度Ｔｓにあり、
(１)油と、
(２)結晶化固体として油中に均一に分散し、ＴＳよりも高い結晶融点Ｔｐを有する増粘剤としての側鎖結晶性(ＳＣＣ)ポリマーと、
を含有する増粘された油性組成物であって、
カルボキシル基、塩の形態のカルボキシル基、スルホン酸基、及び塩の形態のスルホン酸基を含むポリマーを実質的に含有しない組成物であって、
水相と混合して油中水型エマルションとすることができ、
パーソナルケア製品において有用である、
組成物。」
　　　　　　　　
３．引用発明１を主引用発明とした場合の検討
（１）本願発明と引用発明１との対比  
　引用発明１の「少なくとも一の油」、「水」、「１乃至８の範囲のＨＬＢ値を有する少なくとも一の乳化剤」は、順に、本願発明の「（２）油及び皮膚軟化剤から成る群から選択される少なくとも1種」、「（１）水」、「（４）少なくとも１つの乳化剤」に相当する。
　　
　引用発明１の「油性相中に分散された…水性相を含む、エマルションの形態であり」は、本願発明の「エマルションを構成する」に相当する。
　　　
　引用発明１の「室温で固体であり融点が７０℃未満の少なくとも一の半結晶性ポリマーを含み、該ポリマーは、ａ）ポリマー骨格及びｂ）少なくとも一の結晶化可能な有機側鎖及び／又はポリマー骨格の一部を形成する結晶化可能な有機配列を含む」は、当該半結晶性ポリマーが「結晶化可能な鎖または配列以外は、ポリマー配列は、非結晶性である」こと（摘示１ｄ）、「結晶化可能な鎖を含む少なくとも一のモノマーの重合から得られるものが含まれる」こと（摘示１ｅ）等からみて、結晶化可能な鎖と、それ以外の非結晶性の配列を有するポリマー配列とからなるもの、すなわち、結晶性の側鎖部分と非結晶性の部分とを有するものであって、側鎖結晶性のポリマーにあたるものと認められるから、本願発明の「（３）側鎖結晶性ポリマー…を含む」に相当する。
　　　　　　　　　　
　引用発明１の「皮膚、唇及び／又は毛髪をトリートメント、保護、ケアする目的での、局所適用のため」は、本件補正明細書の「…スキンケア用品、ボディソープ、シャンプー、整髪料及びヘアトリートメント（例えば整髪クリーム、コーミングクリーム及びポマード、整髪用スプレー、ヘアカラー
）、日焼け止め、口紅、脇の下用デオドラント、シェービング及びアフターシェービング用品並びにその他のパーソナルケア用品などの多様なパーソナルケア組成物に利用できる。」（段落【０００７】）との記載等からみて、本願発明の「パーソナルケア組成物」に相当する。
　　　　　　　　
　本願発明が「…を含む…パーソナルケア組成物」であって発明特定事項である成分（１）〜（５）以外の成分をさらに含むことを妨げないものであることを考慮すると、引用発明１の「少なくとも一の有機粉末」は、本願発明との相違点とはいえないものである。
　　　　　　　　
　以上を総合すると、両者は、 
「（１）水、
（２）油及び皮膚軟化剤から成る群から選択される少なくとも1種、
（３）側鎖結晶性ポリマー、
（４）少なくとも１つの乳化剤、
を含むパーソナルケア組成物であって、該パーソナルケア組成物はエマルションを構成する、パーソナルケア組成物。」
の点で一致し、次の点で相違する。 
　　　　　　　　
相違点１−１：側鎖結晶性ポリマーに相当する成分（引用発明１においては「半結晶性ポリマー」）に関し、本願発明は「シリコーン基及びヒドロキシル基からなる群から選択される少なくとも１つの官能基を含む少なくとも１つ」を使用するのに対して、引用発明１は「室温で固体であり融点が７０℃未満の」「ａ）ポリマー骨格及びｂ）少なくとも一の結晶化可能な有機側鎖及び／又はポリマー骨格の一部を形成する結晶化可能な有機配列を含む」ものを使用する点。
　　　　　
相違点２−１：本願発明は、「（５）クロルヒドロキシアルミニウム、アルミニウム・ジルコニウムテトラクロロヒドレックス、天然トコフェロール、合成トコフェロール、酢酸合成トコフェロール、レチノール、レチニルパルミテート／アセテート、アスコルビン酸、アスコルビルリン酸ナトリウム、アスコルビルグルコシド、アスコルビルリン酸マグネシウム、多糖類、ヒアルロン酸、Ｂ‐１，３‐グルカン、キトサン、植物成分、アロエ成分、緑茶抽出物、ブドウの種抽出物、イソフラボン、カモミール／ビサボロール、ウイキョウ成分、イチョウ葉成分、朝鮮人参成分、グアバ成分、αヒドロキシ酸、クエン酸、グリコール酸、乳酸、サトウキビ抽出物、補酵素及び酵素、ユビキノン、補酵素Ｑ１０、並びに薬用化粧品からなる群から選択される少なくとも１つの活性化合物」を含むのに対して、引用発明１は、斯かる事項を発明特定事項としない点。
　　　　　　　　　　
（２）相違点の検討
ア．相違点１−１
　側鎖結晶性ポリマーに相当すると認められる引用発明１の「室温で固体であり融点が７０℃未満の」「ａ）ポリマー骨格及びｂ）少なくとも一の結晶化可能な有機側鎖及び／又はポリマー骨格の一部を形成する結晶化可能な有機配列を含む」半結晶性ポリマー（以下、「引用発明１の半結晶性ポリマー」という。）について、引用文献１には、
「…飽和Ｃ１４−Ｃ２４アルキル（メタ）アクリラート類…結晶化可能な鎖を含む少なくとも一のモノマーの重合から得られるものが含まれる。…
…本発明の組成物に用いられるポリマーがコポリマーのとき、それは共重合の結果…Ｙ基又はＺ基を含む：
α）極性又は非極性のモノマー又はその２つの混合物であるＹでは：−Ｙが極性モノマーのとき、それは…、ヒドロキシアルキル（メタ）アクリラート、例えばヒドロキシエチルアクリラート、…、である。
…好ましくは、結晶化可能な側鎖を含む半結晶性ポリマー類は、…、例えば、…、ヒドロキシエチル（メタ）アクリラート又はアクリル酸とのコポリマー類；又はそれらの混合物でもよい。」（摘示１ｅ）と、
飽和Ｃ１４−Ｃ２４アルキル（メタ）アクリラート類等の重合体が例示され、さらに、ヒドロキシエチル（メタ）アクリラート等のヒドロキシアルキル（メタ）アクリラート等に例示される単量体を含むコポリマーが例示されているといえる。
　そして、斯かる引用文献１の記載事項を考慮すると、飽和Ｃ１４−Ｃ２４アルキル（メタ）アクリラート類及びヒドロキシエチル（メタ）アクリラート等から構成されるコポリマーを、引用発明１の半結晶性ポリマー（本願発明の側鎖結晶性ポリマーに相当すると認められる。）として用いることは、引用発明１の態様として引用文献１に記載されたものと当業者は理解し得たものといえる（飽和Ｃ１４−Ｃ２４アルキル（メタ）アクリラート類とヒドロキシエチル（メタ）アクリラートとのコポリマーは、本願発明に係る側鎖結晶性ポリマーのうちの「ヒドロキシル基からなる群から選択される…官能基を含む少なくとも１つ」の側鎖結晶性ポリマーに相当するといえる。なお、当該コポリマーは、前記「第２」に記載した本件補正における請求項１の側鎖結晶性ポリマーに係る「ポリアクリル酸Ｃ１２‐２２アルキル／メタクリル酸架橋ポリマー、ポリアクリル酸Ｃ１２‐２２アルキル／アクリル酸ヒドロキシエチルコポリマー、ポリアクリル酸Ｃ８‐２２アルキル／メタクリル酸ブチルジメチコーンコポリマー、及びポリアクリル酸／アクリル酸Ｃ８‐Ｃ２２アルキルコポリマーから成る群から選択される少なくとも１つ」のうちの「ポリアクリル酸Ｃ１２‐２２アルキル／アクリル酸ヒドロキシエチルコポリマー」に相当する。）。
　　　
　また、本願明細書の記載を参照しても、側鎖結晶性ポリマーが、特に、「ヒドロキシル基からなる群から選択される官能基を含む少なくとも１つ」等であることによって、それ以外の側鎖結晶性ポリマーの場合に比べて、当業者の予測し得ない顕著な効果が奏されるものとは認められない（後記「（３）本願発明の効果について」の「さらに、請求人は、…、耐水性、防水性等の性質が向上する効果等が奏されることは、引用文献３にも開示された技術的事項…である。」との記載も参照。）。
　　　
　そうすると、引用発明１の半結晶性ポリマー（側鎖結晶性ポリマーに相当すると認められる。）として、「ヒドロキシル基からなる群から選択される官能基を含む少なくとも１つ」を用いることは、引用文献１に記載された技術的事項といえるから、相違点１−１に係る本願発明の構成の点は、引用発明１との実質的な相違点といえないものであるか、仮に、そうでないとしても、当業者が引用文献１に記載された技術的事項に基づいて、容易になし得たものといえる。
　　　　　
イ．相違点２−１
  引用文献１に、当該刊行物に記載された組成物に関して、「…、親油性又は親水性活性剤、…も含むことができる。…活性剤の例としては、…糖誘導体類；…；ビタミン類、例えばビタミンＥ（トコフェロール）及びその誘導体類（例えばアセタート）、ビタミンＡ（レチノール）及びその誘導体（例えばレチニルパルミタート）、ビタミンＣ（アスコルビン酸）及びその誘導体（例えばアスコルビルパルミタート）、…；α−ヒドロキシ酸、例えば乳酸、クエン酸及びグリコール酸；レチノイド類、例えばレチノール及びそのエステル類、レチナール及びカロテノイド類；…を挙げることができる。」（摘示１ｉ）と開示されていることを考慮すると、引用発明１において、糖類誘導体類（多糖類等）、ビタミン類（トコフェロール、レチノール、アスコルビン酸等）、α−ヒドロキシ酸（乳酸、クエン酸、グリコール酸等）等の活性剤を用いることは、当業者が容易になし得たことと認められる。
　　　
　そうすると、引用発明１を、本願発明の活性化合物に相当する「…、天然トコフェロール、合成トコフェロール、酢酸合成トコフェロール、レチノール、…、アスコルビン酸、…、多糖類、…、αヒドロキシ酸、クエン酸、グリコール酸、乳酸、」等を含むものとすることは、当業者が引用文献１に記載された技術的事項に基づいて、容易になし得たことであり、相違点２−１に係る本願発明の構成の点は、当業者が引用文献１に記載された技術的事項に基づいて、容易になし得たものといえる。
　　　　　
（３）本願発明の効果について
　本願明細書の発明の詳細な説明の「そのような官能性ＳＣＣポリマーは、…パーソナルケア組成物に利用できる。ＳＣＣポリマーの量は、増粘し、レオロジーを改質し、フィルムを形成し、美感を高め、又は特にシリコーンでは質感及び手触り、その他の利点を改良するのに十分である。」（段落【０００７】。なお、段落【００１２】の記載等からみて、ＳＣＣポリマーは側鎖結晶性ポリマーと同義である。）との記載等からみて、本願発明は、パーソナルケア組成物において、「増粘性やレオロジーを改良し、フィルムを形成し、美感を高め、特にシリコーンでは質感及び手触りを改良する」等の効果を奏するものと認められる。
　　　　
　しかしながら、増粘性やレオロジーを改良する点については、引用文献１に「半結晶性ポリマー類の存在は、皮膚への広がりに優れた、…テキスチャーを有するクリームを得ることを可能にする。特に、これらの半結晶性ポリマーの特定のレオロジーの特性が、皮膚へ適用する間に、剪断作用によって、流体化を可能にする。…よって、テキスチャーは、適用の温度に依存し、…、皮膚に適用すると非常に軟らかいことを示すことができる。」（摘示１ｃ）と、半結晶性ポリマー（側鎖結晶性ポリマーに相当すると認められる。）のレオロジーの特性によって流体化、軟らかさ等が発現されることが記載されていること等からみて、「増粘性やレオロジーを改良」する効果が奏されることは、引用文献１に記載された技術的事項から当業者が予測し得たことといえる。
　　
　そして、フィルムを形成し、美感を高める点については、本願明細書の発明の詳細な説明において、実施例等によってその効果の程度等が示されているものとは必ずしもいえない。
　また、例えば、引用文献１の【従来の技術】に「Ｗ／Ｏエマルションは、…脂質の膜を形成することを可能にする。これらのエマルションは、…皮膚を保護し、滋養するために、…乾燥肌をトリートメントするために適している。」（摘示１ｂ）と記載されるように、油中水型（Ｗ／Ｏ）等の形態のエマルションが、脂質の膜（フィルムに相当するものと認められる。）を形成することは周知の技術的事項であって、フィルムが形成されることにより表面が均一で滑らかなものとなって美感が良好となる可能性があることは当業者が予測し得たことと認められることを考慮すると、「フィルムを形成し、美感を高め」る効果が奏されることは、周知の技術的事項から当業者が予測し得たことといえる。
　　　　　
　そして、シリコーンによって質感及び手触りが改良される点については、本願明細書の発明の詳細な説明において、実施例等によってその効果の程度等が示されているものとは必ずしもいえない（なお、パーソナルケア組成物において、シリコーンが質感、手触り等を改良することは周知の技術的事項（この点に関し周知例を例示すると、日本化粧品技術者会編「化粧品事典」（丸善）平成１７年４月２５日発行、第５２５頁「シリコーン」には、「…シリコーン油は…炭化水素油に見られるようなべたつきがなく，軽い使用感触をもち皮膚や毛髪上への広がりもよいため，…広く用いられている．」とシリコーンについて、軽い使用感触（質感）、べたつきのなさ（手触り）が良好であることが記載されている。）と認められる。）ことを考慮すると、本願発明において、「特にシリコーンでは質感及び手触りを改良する」点は、当業者が予測し得ない顕著な効果とはいえない。
　　　
　そうすると、本願発明に係る「増粘性やレオロジーを改良し、フィルムを形成し、美感を高め、特にシリコーンでは質感及び手触りを改良する」との効果は、引用文献１に記載された技術的事項、周知の技術的事項から当業者が予測し得た効果といえる。
　　                          
　さらに、請求人は、審判請求書において、
「…本願の補正後の請求項１及び９に記載される具体的な側鎖結晶性（ＳＣＣ）ポリマーと、水と、油又は皮膚軟化剤と、乳化剤との特定の組み合わせ…本願発明によれば、上記の特定の組み合わせによりパーソナルケア組成物の特性、例えば耐水性などを顕著に改善することが可能です（本願明細書の段落００１２）。…これは、例えば、脱イオン水、油（鉱油）、乳化剤（ジラウリン酸グリセリル）及びＳＣＣポリマーを使用した日焼け止め用多相エマルションについて開示する実施例１４において示されています。…」（審判請求書第５頁）と、本願発明によれば、側鎖結晶性ポリマーと、水と、油又は皮膚軟化剤と、乳化剤との特定の組み合わせにより、パーソナルケア組成物の、例えば耐水性等の特性が顕著に改善することが可能であることを主張していると認められるので、斯かる主張について検討する。
　　　　　
　そこで、本願明細書の発明の詳細な説明に開示された実施例等の記載をみると、側鎖結晶性（ＳＣＣ）ポリマーが「シリコーン基及びヒドロキシル基からなる群から選択される少なくとも１つの官能基を含む少なくとも１つ」である場合に、それ以外の側鎖結晶性（ＳＣＣ）ポリマーの場合に比べて耐水性等の特性が顕著に改善することを確認できるとはいえないものであり（実施例は、耐水性等が向上した「結果」を定性的に記載したものであって耐水性等の具体的な向上の程度を確認できるものではないし、上記の側鎖結晶性（ＳＣＣ）ポリマーがそれ以外の側鎖結晶性（ＳＣＣ）ポリマーに比べて耐水性等の特性を顕著に向上させることを確認できるものでもない。）、本願明細書の発明の詳細な説明の記載から、側鎖結晶性ポリマーと、水と、油又は皮膚軟化剤と、乳化剤との特定の組み合わせによって、耐水性等の特性が顕著に改善するものとは認められない。
　また、本願明細書の、
「本発明では、…側鎖結晶性ポリマー（ＳＣＣ）…を利用して、改良された化粧品又はパーソナルケア配合物を得ることができる。…下記の例は、…ＳＣＣポリマーを用いることにより得ることができる幾つかの利点である。
…
１１．これらの粘度を増加させることなくラメラゲルをより耐水性にする能力。
１２．アルコール及び／又は非イオン性エトキシル化乳化剤を主成分とする耐水性エマルションを配合する能力。
…」（段落【００１２】）、
との記載等からみると、耐水性等の効果は、側鎖結晶性ポリマーを用いることによって得られる利点と解されるところ、引用文献１には前記「（２）ア．」に記載したように、半結晶性ポリマーとして、「ヒドロキシル基からなる群から選択される官能基を含む少なくとも１つ」に相当するもの（ポリアクリル酸Ｃ１２‐２２アルキル／アクリル酸ヒドロキシエチルコポリマー）を使用し得るという技術的事項が記載されており、耐水性等の効果は、斯かる半結晶性ポリマーを用いる場合において引用発明１でも奏される効果といわざるを得ない。
　そもそも、側鎖結晶性ポリマーに相当すると認められる半結晶性ポリマーを用いることによって、耐水性、防水性等の性質が向上する効果が奏されることは、引用文献３に記載された半結晶性ポリマーに係る技術的事項（摘示３ａ〜ｅ、特に３ｂ、３ｃ参照。）から、当業者が予測し得たこととも認められる。
　よって、上記の請求人の主張は妥当なものとは認められない。
　　　　　　　　　
　以上のとおりであって、本願発明によって奏される効果は、引用発明１、引用文献１、３に記載された技術的事項及び周知の技術的事項から当業者が予測し得た範囲内のものであって、格別顕著な効果とは認められない。
　　　　　　　　　　
（４）小括
　よって、相違点１−１に係る本願発明の構成の点は、引用発明１との実質的な相違点ではないか、仮に、そうでないとしても、当業者が引用文献１に記載された技術的事項に基づいて、容易になし得たものであり、相違点２−１に係る本願発明の構成の点は、当業者が引用文献１に記載された技術的事項に基づいて、容易になし得たものであって、本願発明に係る効果は、引用発明１、引用文献１、３に記載された技術的事項及び周知の技術的事項から当業者が予測し得た範囲内のものであって格別顕著な効果とはいえないものと認められるから、本願発明は、引用文献１、３に記載された発明に基づいて、当業者が容易に発明をすることができたものといえる。
　　　　　　　　　　　　
４．引用発明２を主引用発明とした場合の検討
（１）本願発明と引用発明２との対比  
　引用発明２の「(１)油」、「(２)側鎖結晶性(ＳＣＣ)ポリマー」、「パーソナルケア製品において有用である、組成物」は、順に、本願発明の「（２）油及び皮膚軟化剤から成る群から選択される少なくとも1種」、「（３）側鎖結晶性ポリマー」、「パーソナルケア組成物」に相当する。
　　
　本願発明は、パーソナルケア組成物の温度を発明特定事項とするものではなく、温度はパーソナルケア組成物の特性（粘性等）に応じて当業者が適宜設定し得たものと認められるから、引用発明２の「温度Ｔｓにあり」は、本件補正発明との相違点とはならないものである。
　　　
　本願発明が発明特定事項である成分（１）〜（５）以外の成分を含むことを必須としないことを考慮すると、本願発明はカルボキシル基、塩の形態のカルボキシル基、スルホン酸基、及び塩の形態のスルホン酸基を含むポリマーを含有しない態様を許容するものであって（なお、本願明細書の発明の詳細な説明の段落【００１７】には、側鎖結晶性(ＳＣＣ)ポリマーを構成するモノマーについて「（ｂ）…実質的にカルボン酸基、カルボン酸塩の基、スルホン酸基、スルホン酸塩の基、及びアミド基のない酸素含有モノマー」と、「カルボキシル基、塩の形態のカルボキシル基、スルホン酸基、及び塩の形態のスルホン酸基」を含有しないものも例示されている。）、引用発明２の「カルボキシル基、塩の形態のカルボキシル基、スルホン酸基、及び塩の形態のスルホン酸基を含むポリマーを実質的に含有しない」は、本願発明との相違点とはいえないものである。
　　
　以上を総合すると、両者は、
「（２）油及び皮膚軟化剤から成る群から選択される少なくとも1種、
（３）側鎖結晶性ポリマー、
を含むパーソナルケア組成物」
の点で一致し、次の点で相違する。 
　　　　　　　　　
相違点１−２：側鎖結晶性ポリマーに関し、本願発明は「シリコーン基及びヒドロキシル基からなる群から選択される少なくとも１つの官能基を含む少なくとも１つ」を使用するのに対して、引用発明２は「結晶化固体として油中に均一に分散し、ＴＳよりも高い結晶融点Ｔｐを有する増粘剤として」のものを使用する点。
　　　　
相違点２−２：本願発明は、「（５）クロルヒドロキシアルミニウム、アルミニウム・ジルコニウムテトラクロロヒドレックス、天然トコフェロール、合成トコフェロール、酢酸合成トコフェロール、レチノール、レチニルパルミテート／アセテート、アスコルビン酸、アスコルビルリン酸ナトリウム、アスコルビルグルコシド、アスコルビルリン酸マグネシウム、多糖類、ヒアルロン酸、Ｂ‐１，３‐グルカン、キトサン、植物成分、アロエ成分、緑茶抽出物、ブドウの種抽出物、イソフラボン、カモミール／ビサボロール、ウイキョウ成分、イチョウ葉成分、朝鮮人参成分、グアバ成分、αヒドロキシ酸、クエン酸、グリコール酸、乳酸、サトウキビ抽出物、補酵素及び酵素、ユビキノン、補酵素Ｑ１０、並びに薬用化粧品からなる群から選択される少なくとも１つの活性化合物」を含むのに対して、引用発明２は、斯かる事項を発明特定事項としない点。
　　　　　
相違点３：本願発明は、「（１）水」、「（４）少なくとも１つの乳化剤」を含む「エマルションを構成する」ものであるのに対して、引用発明２は、「水相と混合して油中水型エマルションとすることができ」るものである点。
　　　　　　
（２）相違点の検討
ア．相違点１−２
　引用文献５には、摘示２ｃの記載等からみて、側鎖結晶性ポリマーを構成する単量体として、「Ｃ１２Ａ、Ｃ１４Ａ、Ｃ１６Ａ、Ｃ１８Ａ、Ｃ２２Ａ、Ｃ１８ＡとＣ２０ＡとＣ２２Ａ…」（Ｃ１２Ａ、Ｃ１４Ａ、Ｃ１６Ａ、Ｃ１８Ａ、Ｃ２０Ａ、Ｃ２２Ａは、側鎖が１２、１４、１６、１８、２０、２２の炭素原子を有するポリメチレン基、すなわちアルキル基を有する、（メタ）アクリル系単量体を意味するものと解される。）及びアクリル酸ヒドロキシエチル等が例示されることが記載されており、実施例１には、それらの単量体等から構成された側鎖結晶性ポリマーとして、Ｃ１８Ａ、ＨＥＡ（２-ヒドロキシエチルアクリレート）等から構成されたコポリマーである側鎖結晶性ポリマーが開示されている（摘示２ｆ）。
　そして、Ｃ１８Ａ、ＨＥＡ（２-ヒドロキシエチルアクリレート）は、それぞれ、アクリル酸Ｃ１２‐２２アルキル、アクリル酸ヒドロキシエチルにあたるものと認められるから、引用文献５の実施例１に記載された、それらの共重合体（コポリマー）である側鎖結晶性ポリマーは、本願発明に係る側鎖結晶性ポリマーと同じ側鎖結晶性ポリマーと認められるものであり（例えば、引用文献５の実施例１の共重合体（コポリマー）は、本願明細書の発明の詳細な説明の段落【００５０】の【表１】に掲載された実施例１のポリマーと、構成成分、物性値等からみて相違しないものと認められる。）、本願発明に係る側鎖結晶性ポリマーのうちの「ヒドロキシル基からなる群から選択される…官能基を含む少なくとも１つ」の側鎖結晶性ポリマーに相当するといえる（なお、当該コポリマーは、前記「第２」に記載した本件補正における請求項１の側鎖結晶性ポリマーに係る「ポリアクリル酸Ｃ１２‐２２アルキル／メタクリル酸架橋ポリマー、ポリアクリル酸Ｃ１２‐２２アルキル／アクリル酸ヒドロキシエチルコポリマー、ポリアクリル酸Ｃ８‐２２アルキル／メタクリル酸ブチルジメチコーンコポリマー、及びポリアクリル酸／アクリル酸Ｃ８‐Ｃ２２アルキルコポリマーから成る群から選択される少なくとも１つ」のうちの「ポリアクリル酸Ｃ１２‐２２アルキル／アクリル酸ヒドロキシエチルコポリマー」に相当する。）。
　　　
　また、本願明細書の記載を参照しても、側鎖結晶性ポリマーが、特に、「ヒドロキシル基からなる群から選択される官能基を含む少なくとも１つ」等であることによって、それ以外の側鎖結晶性ポリマーの場合に比べて、当業者の予測し得ない顕著な効果が奏されるものとは認められない（後記「（３）本願発明の効果について」の「さらに、請求人の審判請求書における、…引用発明２においても奏される効果に過ぎないものといわざるを得ない。」との記載も参照。）。
　　　　　
　そうすると、引用発明２の「結晶化固体として油中に均一に分散し、ＴＳよりも高い結晶融点Ｔｐを有する増粘剤として」のものである側鎖結晶性ポリマーとして、本願発明の側鎖結晶性ポリマーにあたる「ヒドロキシル基からなる群から選択される官能基を含む少なくとも１つ」を用いることは、引用文献５に記載された技術的事項といえるから、相違点１−２に係る本願発明の構成の点は、引用発明２との実質的な相違点といえないものであるか、仮に、そうでないとしても、当業者が引用文献５に記載された技術的事項に基づいて、容易になし得たものといえる。
　　　　　　　　
イ．相違点２−２
　引用文献５に、当該刊行物に記載された組成物に関して、「…本発明は他の状況、例えば…、酵素、…薬物(局所的又は全身的に、生理学的又は製薬的に活性な医薬を含む)等の活性成分を含む組成物においてもまた有用である。」（摘示２ｅ）と開示されていることを考慮すると、引用発明２において、酵素、薬物（薬用化粧品等）等の活性成分を用いることは、当業者が容易になし得たことと認められる。
　　　　　
　そうすると、引用発明２を、本願発明の活性化合物に相当する「…酵素、…、並びに薬用化粧品」等の活性化合物を含むものとすることは、当業者が引用文献５に記載された技術的事項に基づいて、容易になし得たことといえる。
　　　　　　　
ウ．相違点３
　引用文献５に、当該刊行物に記載された組成物に関して、水相と混合して油中水型エマルションとすることができるものであること（摘示２ｂ、ｄ）が開示されていることを考慮すると、引用発明２を水相と混合（すなわち、水を含有）することによって、エマルションを構成するものとすることは、当業者が容易になし得たことと認められる。
　　　　
　また、引用発明２は、界面活性剤を使用する必要性が、低減ないしないものである（摘示２ｂ）ところ、油相成分と水相成分とからエマルションを構成する際に、乳化剤を用いることは、広く一般的に行われる周知の技術であること（この点に関し、周知例を例示すると、引用文献１の摘示１ｂ、１ｇ、引用文献３の摘示３ｅ【００８７】参照。）を考慮すると、引用発明２において、エマルションを構成することを一層確実ならしめるために、少なくとも１つの乳化剤を含むものとすることは、当業者が、周知技術に基づいて、適宜なし得たことと認められる。
　　　　　　
　そうすると、引用発明２において、「（１）水」、「（４）少なくとも１つの乳化剤」を含む「エマルションを構成する」ものとすることは、当業者が、引用文献５に記載された技術的事項、引用文献１、３に例示される周知技術に基づいて、容易になし得たものといえる。
　　　　　　　　　　
（３）本願発明の効果について
　前記「３．（３）」に記載したとおり、本願発明は、パーソナルケア組成物において、「増粘性やレオロジーを改良し、フィルムを形成し、美感を高め、特にシリコーンでは質感及び手触りを改良する」等の効果を奏するものと認められる。
　　　
　しかしながら、増粘性やレオロジーを改良する点については、引用発明２における側鎖結晶性ポリマーが増粘剤であるところ（摘示２ｂ）、増粘剤によって組成物の粘性や流動性が調節されることは技術常識と認められることを考慮すると、「増粘性やレオロジーを改良」する効果が奏されることは、引用文献５に記載された技術的事項から当業者が予測し得たことといえる。
　　　
　また、フィルムを形成し、美感を高める点については、本願明細書の発明の詳細な説明において、実施例等によってその効果の程度等が示されているものとは必ずしもいえないし、油中水型（Ｗ／Ｏ）等の形態のエマルションによって「フィルムを形成し、美感を高め」る効果が奏されること及びパーソナルケア組成物において「特にシリコーンでは質感及び手触りを改良する」効果が奏されることは、前記「３．（３）」に記載したとおり、周知の技術的事項から当業者が予測し得たことといえる。
　　　　　　　　　
　そうすると、本願発明に係る「増粘性やレオロジーを改良し、フィルムを形成し、美感を高め、特にシリコーンでは質感及び手触りを改良する」との効果は、引用文献５に記載された技術的事項、周知の技術的事項から当業者が予測し得た効果といえる。
　　　　
　さらに、請求人の審判請求書における、本願発明によれば側鎖結晶性ポリマーと、水と、油又は皮膚軟化剤と、乳化剤との特定の組み合わせにより、パーソナルケア組成物の、例えば耐水性等の特性が顕著に改善することが可能であるとの主張については、前記「３．（３）」に記載したとおり、本願明細書の発明の詳細な説明の記載等を参照しても、側鎖結晶性ポリマーと、特定の成分の組み合わせにおいて、他の場合に比べて、特に耐水性等の特性が改善する効果が奏されるものと認めるに足りる開示がされているとはいえないし、本願明細書の段落【００１２】の記載等からみて耐水性等は、側鎖結晶性ポリマーを用いることによって得られる利点と解されるところ、引用文献５には前記「（２）ア．」に記載したように、「ヒドロキシル基からなる群から選択される官能基を含む少なくとも１つ」に相当する側鎖結晶性ポリマー（ポリアクリル酸Ｃ１２‐２２アルキル／アクリル酸ヒドロキシエチルコポリマー）を使用し得るという技術的事項が記載されており、耐水性等の効果は、斯かる側鎖結晶性ポリマーを含有するものである引用発明２でも奏される効果といわざるを得ないから、妥当なものとは認められない。
　　　　
　以上のとおりであって、本願発明によって奏される効果は、引用発明２、引用文献５に記載された技術的事項及び周知の技術的事項から、当業者が予測し得た範囲内のものであって、格別顕著な効果とは認められない。
　　　　　　　　　　
（４）小括
　よって、相違点１−２に係る本願発明の構成の点は、引用発明２との実質的な相違点とはいえないものであるか、仮にそうでないとしても、当業者が引用文献５に記載された技術的事項に基づいて、容易になし得たものであり、相違点２−２に係る本願発明の構成の点は、当業者が引用文献５に記載された技術的事項に基づいて、容易になし得たものであり、相違点３に係る本願発明の構成の点は、当業者が引用文献５に記載された技術的事項及び周知技術に基づいて、容易になし得たものであって、本願発明に係る効果は、引用発明２、引用文献５に記載された技術的事項及び周知の技術的事項から当業者が予測し得た範囲内のものであって格別顕著な効果とはいえないから、本願発明は、引用文献５に記載された発明に基づいて、当業者が容易に発明をすることができたものといえる。
　　　　　　　
５．補正案について
　前記「第２」に記載したとおり、平成２５年４月４日付け手続補正は、却下されたので、平成２６年１０月２１日付け回答書において請求人が提示した補正案は、平成２４年２月２日付け手続補正によって補正された本願の特許請求の範囲に対して次の補正を行うものと認められる。
　　　　　　　
・請求項１に記載されていた「（３）シリコーン基及びヒドロキシル基からなる群から選択される少なくとも１つの官能基を含む少なくとも１つの側鎖結晶性ポリマー」及び請求項１９に記載されていた「（３）カルボキシ基、シリコーン基及びヒドロキシル基からなる群から選択される少なくとも１つの官能基を含む少なくとも１つの側鎖結晶性ポリマー」をいずれも、「（３）ポリアクリル酸Ｃ１２‐２２アルキル／メタクリル酸架橋ポリマー、ポリアクリル酸Ｃ１２‐２２アルキル／アクリル酸ヒドロキシエチルコポリマー、ポリアクリル酸Ｃ８‐２２アルキル／メタクリル酸ブチルジメチコーンコポリマー、及びポリアクリル酸／アクリル酸Ｃ８‐Ｃ２２アルキルコポリマーから成る群から選択される少なくとも１つの側鎖結晶性ポリマー」とする補正。
・請求項１、１９に記載されていた「（４）少なくとも１つの乳化剤」を「（４）ジラウリン酸グリセリルを含む少なくとも１つの乳化剤」とする補正。
・請求項３、５〜８、１２、１３、１５〜１８を削除して、残余の請求項の項番号の繰り上げを行る補正。
　　　　　　　　
　そこで、仮に、本願の特許請求の範囲に対して、当該補正案のとおりの補正がされた場合に、補正後の特許請求の範囲の請求項１に記載された発明が、当業者が引用文献１、３、５に記載された発明に基づいて、容易に発明をすることができたものであるか否かについて検討する。
　　
　当該補正案は、請求項１について、「（３）シリコーン基及びヒドロキシル基からなる群から選択される少なくとも１つの官能基を含む少なくとも１つの側鎖結晶性ポリマー」を「（３）ポリアクリル酸Ｃ１２‐２２アルキル／メタクリル酸架橋ポリマー、ポリアクリル酸Ｃ１２‐２２アルキル／アクリル酸ヒドロキシエチルコポリマー、ポリアクリル酸Ｃ８‐２２アルキル／メタクリル酸ブチルジメチコーンコポリマー、及びポリアクリル酸／アクリル酸Ｃ８‐Ｃ２２アルキルコポリマーから成る群から選択される少なくとも１つの側鎖結晶性ポリマー」とする補正（以下、「側鎖結晶性ポリマーに係る補正」という。）、及び、「（４）少なくとも１つの乳化剤」を「（４）ジラウリン酸グリセリルを含む少なくとも１つの乳化剤」とする補正（以下、「乳化剤に係る補正」という。）を行うものである。
　　　　　　　　
　まず、側鎖結晶性ポリマーに係る補正について検討すると、当該側鎖結晶性ポリマーに係る発明特定事項のうち、「ポリアクリル酸Ｃ１２‐２２アルキル／アクリル酸ヒドロキシエチルコポリマー」は、前記「第５　３．（２）ア．」及び「第５　４．（２）ア．」に記載したように、引用発明１、２との実質的な相違点といえないものであるか、仮にそうでないとしても、当業者が引用文献１ないし引用文献５に記載された技術的事項に基づいて、容易になし得たものといえるから、当該補正の側鎖結晶性ポリマーに係る点は、引用発明１、２との実質的な相違点といえないものであるか、仮にそうでないとしても、当業者が引用文献１ないし引用文献５に記載された技術的事項に基づいて、容易になし得たものと認められる。
　　　　　　　　
　また、乳化剤に係る補正について検討すると、ジラウリン酸グリセリルは乳化剤として周知のものであり（この点に関し周知例を例示すると、例えば、特開平５−２５５１１５号公報の段落【００２２】〜【００２３】には、リップトリートメント組成物に関して「好適な乳化剤の別のカテゴリーはアシルグリセロール誘導体を含む。…別の好適なカテゴリーのアシルグリセロール誘導体は、…ジラウリン酸グリセリル…を含んでいる。」とジラウリン酸グリセリルが例示されている。）、引用発明１、２において斯かる周知の乳化剤を採用することは、当業者が容易になし得たことと認められる。
　そして、本願明細書の実施例の記載を参照すると、乳化剤として「ジラウリン酸グリセリル」を用いた例について良好な結果であるものが記載されている（段落【００５４】の実施例１４等）ものの、「ジラウリン酸グリセリル」でない乳化剤を用いた例についても良好な結果であるものも記載されていると認められること（例えば、段落【００５３】の実施例１３等参照。実施例１３は、「ステアリン酸グリセリル」等の乳化剤を用いた例と認められる。）等を考慮すると、本願発明において、乳化剤を「ジラウリン酸グリセリル」に特定することによって、他の乳化剤を用いた場合に比べて、当業者が予測し得ない顕著な効果が奏されるものと認めることはできない。
　　　　　　　
　そうすると、側鎖結晶性ポリマーに係る補正の点は、引用発明１、２との実質的な相違点といえないものであるか、仮にそうでないとしても、当業者が引用文献１ないし引用文献５に記載された技術的事項に基づいて、容易になし得たものであり、また、乳化剤に係る補正の点は、当業者が乳化剤についての周知技術に基づいて、容易になし得たものであって、それによって当業者が予測し得ない顕著な効果が奏されるものとは認められないから、仮に、本願の特許請求の範囲に対して当該補正案のとおりの補正がされたとしても、補正後の特許請求の範囲の請求項１に記載された発明は、当業者が引用文献１、３、５に記載された発明及び周知技術に基づいて、容易になし得たものといえる。
　　　
６．まとめ  
　よって、本願発明は、その出願前頒布された刊行物である引用文献１、３に記載された発明、ないし、引用文献５に記載された発明に基いて、その出願前にその発明の属する技術の分野における通常の知識を有する者が容易に発明をすることができたものと認められる。
 　　　　　　　　　　　　　 
第６　むすび  
　以上のとおりであって、本願発明は、特許法第２９条第２項の規定により特許を受けることができないものであるから、その余の点について検討するまでもなく、本件出願は、拒絶すべきものである。
　よって、結論のとおり審決する。